【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
被滅菌対象物を滅菌する滅菌剤の溶液である薬液が格納されるカートリッジであって、
第１の容器と、
前記第１の容器内に設けられた、前記薬液が格納される第２の容器と、
前記第２の容器に格納される前記薬液の滅菌剤の分解で生じる気体を含む前記第２の容器内の気体を前記第２の容器内から前記第１の容器と前記第２の容器との間に排気する排気路と、
前記第１の容器と前記第２の容器との間に設けられた、前記薬液から生じる滅菌剤の気体を吸着するための吸着剤、又は前記第１の容器と前記第２の容器との間に設けられた、前記薬液から生じる滅菌剤の気体を分解するための分解剤と、
前記第２の容器から抽出される前記薬液を用いて前記被滅菌対象物の滅菌処理を行う滅菌装置が前記第２の容器に格納される前記薬液を抽出する管を挿入する挿入口を備える前記第１の容器の蓋と、
前記排気路の少なくとも一部として前記第２の容器の容器口に当該容器口を塞ぐように設けられた、気体を通し液体は通さない第１のパッキンと、
前記第１の容器の前記蓋に備えられた挿入口に設けられたシールと、
を備え、
前記管が、前記シールを貫通し、前記第１の容器の前記蓋に備えられた前記挿入口に挿入し、前記第１のパッキンを貫通して、前記第２の容器内に挿入する位置に、前記シール、及び、前記第１の容器の前記蓋に設けられた前記挿入口、記第１のパッキンが設けられていることを特徴とするカートリッジ。
【請求項２】
前記第２の容器に格納される前記薬液を抽出する前記管を挿入する挿入口を備える前記第２の容器のキャップを更に備え、
前記管が、前記シールを貫通し、前記第１の容器の前記蓋に備えられた前記挿入口に挿入し、前記キャップに備えられた前記挿入口に挿入し、前記第１のパッキンを貫通して前記第２の容器内に挿入する位置に、前記シール、及び、前記第１の容器の前記蓋に設けられた前記挿入口、前記キャップに備えられた前記挿入口、前記第１のパッキンが設けられていることを特徴とする請求項１に記載のカートリッジ。
【請求項３】
前記キャップと前記第１の容器の前記蓋との間に設けられた第２のパッキンを更に備え、
前記第２のパッキンは、前記第１のパッキンを介して前記第２の容器と前記第１の容器との間に排気される気体を前記第１の容器内から排気するための切れ目を有し、
前記管が、前記シールを貫通し、前記第１の容器の前記蓋に備えられた前記挿入口に挿入し、前記第２のパッキンを貫通し、前記キャップに備えられた前記挿入口に挿入し、前記第１のパッキンを貫通して前記第２の容器内に挿入する位置に、前記シール、及び、前記第１の容器の前記蓋に設けられた前記挿入口、前記第２のパッキン、前記キャップに備えられた前記挿入口、記第１のパッキンが設けられていることを特徴とする請求項２に記載のカートリッジ。
【請求項４】
前記切れ目は、前記第１の容器と前記第２の容器との間と、前記第１の容器の前記蓋に備えられた前記挿入口とが導通可能な切れ目であることを特徴とする請求項３に記載のカートリッジ。
【請求項５】
前記切れ目は、前記第１の容器と前記第２の容器との間と、前記第１の容器の前記蓋に備えられた前記挿入口とが導通可能な切れ目であり、前記第１の容器と前記第２の容器との間と、前記キャップの前記挿入口とが導通しない切れ目であることを特徴とする請求項４に記載のカートリッジ。
【請求項６】
前記シールは、前記第１の容器の前記蓋に接着可能なシールであって、前記第１の容器の前記蓋に備えられた前記挿入口から、前記排気路により前記第１の容器と前記第２の容器との間に排気された気体を前記第１の容器外に排気する排気機構を備えるシールであることを特徴とする請求項１乃至５の何れか１項に記載のカートリッジ。
【請求項７】
前記排気機構は、前記第１の容器の前記蓋に接着しない非接着部であることを特徴とする請求項６に記載のカートリッジ。
【請求項８】
前記排気機構は、前記第１の容器の前記蓋に備えられた前記挿入口から、前記シールの縁まで前記第１の容器の前記蓋に接着しない非接着部であることを特徴とする請求項６又は７に記載のカートリッジ。
【請求項９】
前記排気機構は、前記第１の容器の前記蓋の前記挿入口から、らせん状に前記シールの縁まで前記第１の容器の前記蓋に接着しない非接着部であることを特徴とする請求項６乃至８の何れか１項に記載のカートリッジ。
【請求項１０】
前記滅菌剤は、過酸化水素であり、前記薬液は、過酸化水素水溶液であることを特徴とする請求項１乃至９の何れか１項に記載のカートリッジ。
【請求項１１】
前記第１のパッキンは、防水透湿性を有するパッキンであることを特徴とする請求項１乃至１０の何れか１項に記載のカートリッジ。
【請求項１２】
前記キャップと、前記キャップが設けられた前記第２の容器との間の隙間は、気体を通し液体は通さない隙間であることを特徴とする請求項１乃至１１の何れか１項に記載のカートリッジ。
【請求項１３】
前記滅菌装置により前記カートリッジが初めて使用された初回使用日時の情報を前記滅菌装置により書き込まれる記憶媒体を更に備え、
前記滅菌装置が備える、前記記憶媒体に記憶された情報を読み取る装置で、前記記憶媒体に記憶された情報が読み取られることを特徴とする請求項１乃至１２の何れか１項に記載のカートリッジ。
【請求項１４】
前記カートリッジを識別する情報が記憶された記憶媒体を更に備え、
前記滅菌装置が備える、前記記憶媒体に記憶された情報を読み取る装置で、前記記憶媒体に記憶された情報が読み取られることを特徴とする請求項１乃至１２の何れか１項に記載のカートリッジ。
【手続補正２】
【補正対象書類名】明細書
【補正対象項目名】００１０
【補正方法】変更
【補正の内容】
【００１０】
本発明は、薬液が格納されたカートリッジから薬液が漏れる可能性を低減するカートリッジを提供することを目的とする。
【手続補正３】
【補正対象書類名】明細書
【補正対象項目名】００１１
【補正方法】変更
【補正の内容】
【００１１】
本発明は、被滅菌対象物を滅菌する滅菌剤の溶液である薬液が格納されるカートリッジであって、第１の容器と、前記第１の容器内に設けられた、前記薬液が格納される第２の容器と、前記第２の容器に格納される前記薬液の滅菌剤の分解で生じる気体を含む前記第２の容器内の気体を前記第２の容器内から前記第１の容器と前記第２の容器との間に排気する排気路と、前記第１の容器と前記第２の容器との間に設けられた、前記薬液から生じる滅菌剤の気体を吸着するための吸着剤、又は前記第１の容器と前記第２の容器との間に設けられた、前記薬液から生じる滅菌剤の気体を分解するための分解剤と、前記第２の容器から抽出される前記薬液を用いて前記被滅菌対象物の滅菌処理を行う滅菌装置が前記第２の容器に格納される前記薬液を抽出する管を挿入する挿入口を備える前記第１の容器の蓋と、前記排気路の少なくとも一部として前記第２の容器の容器口に当該容器口を塞ぐように設けられた、気体を通し液体は通さない第１のパッキンと、前記第１の容器の前記蓋に備えられた挿入口に設けられたシールと、を備え、前記管が、前記シールを貫通し、前記第１の容器の前記蓋に備えられた前記挿入口に挿入し、前記第１のパッキンを貫通して、前記第２の容器内に挿入する位置に、前記シール、及び、前記第１の容器の前記蓋に設けられた前記挿入口、記第１のパッキンが設けられていることを特徴とする。